(57)【要約】【課題】  画像形成装置の定着部において、サーモカット部から離れた箇所で異常高温状態が発生しても、少ない構成部品で熱暴走を抑える。【解決手段】  第１、第２の加熱部Ｈ１、Ｈ２は、加熱ローラ本体３９に配置され、駆動電力印加によって加熱ローラ本体３９を加熱する。温度検出部３３は加熱ローラ本体３９の温度を検出する。サーモカット部３５は、第２の加熱部Ｈ２近傍に配置され、遮断動作に必要な期間にわたって加熱されたとき第１、第２の加熱部Ｈ１、Ｈ２への駆動電力印加を遮断する。温度制御部３７は、温度検出部３３からの検出温度が異常高温の基準温度より上昇すれば、第２の加熱部Ｈ２をこの加熱の有無に拘わらず加熱制御する。【選択図】  図４
2011095289.tif 000002
【特許請求の範囲】
【請求項１】
画像形成装置に配置された加熱ローラ本体と、
この加熱ローラ本体に分散して内蔵され駆動電力の印加によって前記加熱ローラ本体を加熱する第１および第２の加熱部と、
前記加熱ローラ本体の温度を検出する温度検出部と、
前記第２の加熱部近傍に配置され、遮断動作に必要な期間にわたって加熱されたとき前記第１および第２の加熱部への前記駆動電力印加を遮断するサーモカット部と、
前記温度検出部の検出温度に基づき前記駆動電力を印加制御して前記第１および第２の加熱部を温度制御する温度制御部であって、前記温度検出部からの検出温度が所定の基準温度を超えて上昇すれば、前記第２の加熱部を熱制御する温度制御部と、
を具備することを特徴とする定着温度制御装置。
【請求項２】
前記第１および第２の加熱部は配光の異なる特性を有するヒータランプからなり、前記サーモカット部は前記第２の加熱部において配光の高い部分近傍に配置されてなる請求項１記載の定着温度制御装置。
【請求項３】
前記第１の加熱部は前記加熱ローラ本体の両端部に配置され、前記第２の加熱部は前記加熱ローラ本体の中央部に配置されてなる請求項１又は２記載の定着温度制御装置。
【請求項４】
前記温度制御部は、前記温度検出部からの検出温度が前記基準温度を超えている状況下で前記第１の加熱部が加熱制御されていないとき、前記第２の加熱部を加熱制御する請求項１〜３いずれか１記載の定着温度制御装置。
【請求項５】
前記温度制御部は、前記温度検出部からの検出温度が前記基準温度を超えている状況下で前記第１の加熱部が加熱制御されているとき、前記第１および第２の加熱部への前記駆動電力の印加を遮断制御するとともに、当該遮断制御によっても前記温度検出部からの検出温度が前記基準温度を超え続けるとき、前記第２の加熱部を加熱制御する請求項１〜３いずれか１記載の定着温度制御装置。
【請求項６】
前記温度制御部は、前記温度検出部からの検出温度が所定期間にわたって前記基準温度を継続して超えるとき、前記第２の加熱部を加熱制御する請求項１〜５いずれか１記載の定着温度制御装置。
【請求項７】
前記請求項１〜６いずれか１記載の定着温度制御装置と、画像データに基づき画像形成する画像像形成部とを有することを特徴とする画像形成装置。
【請求項８】
画像形成装置に配置された加熱ローラ本体に対してこれに内蔵された第１および第２の加熱部に駆動電力を印加して当該加熱ローラ本体を加熱する加熱処理と、
前記加熱ローラ本体の温度を検出する温度検出処理と、
この温度検出部処理によって検出された検出温度が所定の基準温度を超えて上昇したとき、前記第２の加熱部近傍に配置されたサーモカット部の遮断動作を引き起こすに必要な期間にわたって前記第２の加熱部を加熱制御する特定加熱処理と、
前記特定加熱処理によって前記サーモカット部の遮断動作を引き起こし、前記第１および第２の加熱部への前記駆動電力の印加を遮断する遮断処理と、
を具備することを特徴とする定着温度制御方法。
【請求項９】
前記第１および第２の加熱部は配光の異なる特性を有するヒータランプであり、前記サーモカット部は前記第２の加熱部において配光の高い部分近傍に配置する請求項８記載の定着温度制御方法。
【請求項１０】
前記第１の加熱部は前記加熱ローラ本体の両端部に配置し、前記第２の加熱部は前記加熱ローラ本体の中央部に配置する請求項８又は９記載の定着温度制御方法。
【請求項１１】
前記特定加熱処理は、前記温度検出部からの検出温度が前記基準温度を超えている状況下で前記第１の加熱部を加熱していないとき、前記第２の加熱部を加熱制御する請求項８〜１０いずれか１記載の定着温度制御方法。
【請求項１２】
前記特定加熱処理は、前記検出温度が前記基準温度を超えている状況下で前記第１の加熱部を加熱しているとき、前記第１および第２の加熱部への前記駆動電力の印加を遮断制御するとともに、当該遮断制御によっても前記検出温度が所定の基準温度を超え続けるとき、前記第２の加熱部を加熱制御する請求項８〜１０いずれか１記載の定着温度制御方法。
【請求項１３】
前記特定加熱処理は、前記検出温度が所定期間にわたって前記基準温度を継続して超えるとき、前記第２の加熱部を加熱制御する請求項８〜１２いずれか１記載の定着温度制御方法。
【発明の詳細な説明】
【技術分野】
【０００１】
本発明は定着温度制御装置、画像形成装置および定着温度制御方法に係り、トナーを用いた複写機、プリンタ、ファクシミリ機又はこれらの機能を有するデジタル複合機（ＭＦＰ：Multi Function Peripheral）等の画像形成装置に搭載して好適する定着温度制御装置、これを搭載した当該画像形成装置および定着温度制御方法の改良に関する。
【背景技術】
【０００２】
従来、この種の画像形成装置は、原稿から読み取った画像データに基づき回転感光体の表面に潜像を形成し、トナーカセットから供給したトナーによってその潜像からトナー像を形成し、その回転感光体とこれに加圧配置された加圧ローラとの間に用紙を搬送することによって用紙にトナー像を転写させ、その用紙を加熱ローラと加圧ローラ間に通し、転写トナーを加熱定着させて排紙する構成が良く知られている。
【０００３】
そして、その加熱ローラは、寸法の異なる多種類の用紙に対応させるために、図示はしないが、長尺状の加熱ローラ本体内に、この中央部を中心に加熱するメインヒータランプと、これとは配光が異なり両端部を中心に加熱するサブヒータランプとを内蔵し、電源からの駆動電力を印加して加熱制御している。
【０００４】
しかも、熱源であるヒータランプに配光が異なるものを複数具備させている画像形成装置があり、サーモカット部材を複数のヒータランプに合わせて複数配置するか、又は全てのヒータランプの暴走に対して検出可能位置に設置する構成が提供されている。
【０００５】
また、電源部等の不具合によって加熱ローラのヒータランプの熱暴走が発生して加熱ローラが必要以上に高温になるのを防ぐため、加熱ローラの外周温度が所定温度以上に上昇したとき、ヒータランプへの駆動電力印加を遮断するめ、ヒータランプ毎にサーモカット部を配置している。
【０００６】
例えば、特許第３８８５４８５号（特許文献１）の熱定着装置もこの種のものである。
【０００７】
この特許文献１に係る熱定着装置は、所定の温度分布中心を境にしてローラの軸方向で対称の温度分布となるようローラを加熱するヒータと、ローラの温度を検知する温度検知手段とヒータの加熱動作を遮断する複数のサーマルカットオフ手段とを有し、それら温度検知手段と複数のサーマルカットオフ手段が、ローラの軸方向において温度分布中心から対称となる所定の間隔を隔てた位置に対応したローラの表面に対向配置され、複数のサーマルカットオフ手段が、温度分布において同一位置に対応したローラの円周上に配置され、温度検知手段と複数のサーマルカットオフ手段のうちの１つとは、ローラの軸線を含む同一面上に配置されて構成されており、サーマルカットオフ手段が温度検知手段による検知温度と実質的に同温度を感知可能で、より迅速かつ的確にローラの過度な加熱防止が可能であるうえ、１つのサーマルカットオフ手段が不良であっても他のサーマルカットオフ手段が迅速かつ的確に作動し、安全性および信頼性を向上させたものである。
【先行技術文献】
【特許文献】
【０００８】
【特許文献１】特許第３８８５４８５号公報
【発明の概要】
【発明が解決しようとする課題】
【０００９】
しかしながら、上述した特許文献１では、定着装置に複数のサーモカット部材を配置して熱暴走した定着装置に対して供給電力を遮断する構成を提供するものであるが、各ヒータランプに合わせて複数のサーモカット部材を配置するから、部品点数が増加してコストアップとなり易い。
【００１０】
さらに、全てのヒータランプの各熱暴走に対して検出可能位置にサーモカット部材を配置する構成では、熱暴走時に最も高温となる部分の検出が困難となり、サーモカット動作の反応が鈍くなって安全機能が低下する心配もある。
【００１１】
そこで、本発明者は、画像形成装置における加熱ローラに配置する複数の加熱部の動作について鋭意観察検討した結果、複数の加熱部のうち一部を有用に加熱利用することにより、サーモカット部の個数を減少させても全体の熱暴走防止が容易になる点に着目し、本発明を完成させた。
【００１２】
本発明はそのような課題を解決するためになされたもので、加熱ローラにおいてサーモカット部から離れた箇所で熱暴走等が発生しても、少ないサーモカット部によってその熱暴走を抑え、安全性を確保することが可能な画像形成装置の定着温度制御装置、当該画像形成装置および定着温度制御方法の提供を目的とする。
【課題を解決するための手段】
【００１３】
そのような課題を解決するために本発明の請求項１に係る定着温度制御装置は、画像形成装置に配置された加熱ローラ本体と、この加熱ローラ本体に分散して内蔵され駆動電力の印加によって当該加熱ローラ本体を加熱する第１および第２の加熱部と、その加熱ローラ本体の温度を検出する温度検出部と、その第２の加熱部近傍に配置され、遮断動作に必要な期間にわたって加熱されたとき第１および第２の加熱部への駆動電力印加を遮断するサーモカット部と、その温度検出部の検出温度に基づきその駆動電力を印加制御して第１および第２の加熱部を温度制御する温度制御部であって、その温度検出部からの検出温度が所定の基準温度を超えて上昇すれば、その第２の加熱部を加熱制御する温度制御部と、を具備している。
【００１４】
本発明の請求項２に係る定着温度制御装置は、上記第１および第２の加熱部が配光の異なる特性を有し、上記サーモカット部がその第２の加熱部において配光の高い部分近傍に配置されて構成されている。
【００１５】
本発明の請求項３に係る定着温度制御装置は、上記第１の加熱部がその加熱ローラ本体の両端部に配置され、上記第２の加熱部がその加熱ローラ本体の中央部に配置されて構成されている。
【００１６】
本発明の請求項４に係る定着温度制御装置は、その温度検出部からの検出温度が基準温度を超えている状況下でその第１の加熱部が加熱制御されていないとき、上記温度制御部がその第２の加熱部を加熱制御する構成を有している。
【００１７】
本発明の請求項５に係る定着温度制御装置は、その温度検出部からの検出温度が基準温度を超えている状況下でその第１の加熱部が加熱制御されているとき、上記温度制御部が、第１および第２の加熱部への駆動電力の印加を遮断制御するとともに、当該遮断制御によっても温度検出部からの検出温度が前記基準温度を超え続けるとき、上記第２の加熱部を加熱制御する構成を有している。
【００１８】
本発明の請求項６に係る定着温度制御装置は、その温度検出部からの検出温度が所定期間にわたって基準温度を継続して超えるとき、上記温度制御部がその第２の加熱部を加熱制御する構成を有している。
本発明の請求項７に係る画像形成装置は、それら請求項１〜６いずれか１記載の定着温度制御装置と、画像データに基づき画像形成する画像像形成部とを有する構成である。
【００１９】
本発明の請求項８に係る定着温度制御方法は、画像形成装置に配置された加熱ローラ本体に対してこれに内蔵された第１および第２の加熱部に駆動電力を印加して当該加熱ローラ本体を加熱する加熱処理と、その加熱ローラ本体の温度を検出する温度検出処理と、その温度検出処理によって検出された検出温度が所定の基準温度を超えて上昇したとき、その第２の加熱部近傍に配置されたサーモカット部の遮断動作を引き起こす遮断に必要な期間にわたって第２の加熱部を加熱制御する特定加熱処理と、この特定処理によってサーモカット部の遮断動作を引き起こし、それら第１および第２の加熱部への駆動電力の印加を遮断する遮断処理と、を具備している。
【００２０】
本発明の請求項９に係る定着温度制御方法は、上記第１および第２の加熱部が配光の異なる特性を有するヒータランプであり、上記サーモカット部をその第２の加熱部において配光の高い部分近傍に配置する構成を有している。
【００２１】
本発明の請求項１０に係る定着温度制御方法は、上記第１の加熱部をその加熱ローラ本体内の両端部に配置し、上記第２の加熱部をその加熱ローラ本体内の中央部に配置してなる構成を有している。
【００２２】
本発明の請求項１１に係る定着温度制御方法は、その温度検出部からの検出温度が基準温度を超えている状況下で第１の加熱部が加熱されていないとき、上記特定加熱処理がその第２の加熱部を加熱制御する構成を有している。
【００２３】
本発明の請求項１２に係る定着温度制御方法は、その検出温度が基準温度を超えている状況下で第１の加熱部が加熱されているとき、上記特定加熱処理が、それら第１および第２の加熱部への駆動電力の印加を遮断制御するとともに、当該遮断制御によっても検出温度が所定の基準温度を超え続けるとき、その第２の加熱部を加熱制御する構成を有している。
【００２４】
本発明の請求項１３に係る定着温度制御方法は、検出温度が所定期間にわたって基準温度を継続して超えるとき、上記特定加熱処理がその第２の加熱部を加熱制御する構成を有している。
【発明の効果】
【００２５】
このような本発明の請求項１、８に係る定着温度制御装置および定着温度制御方法では、第１および第２の加熱部への駆動電力の印加によって加熱される加熱ローラ本体の温度を温度検出部で温度検出し、その検出温度が所定の基準温度を超えて上昇したとき、その第２の加熱部近傍のサーモカット部について、この遮断動作を引き起こすに必要な期間にわたって第２の加熱部を特定加熱制御し、それら第１および第２の加熱部への前記駆動電力の印加を遮断するから、少ないサーモカット部によって加熱ローラの熱暴走を抑え、安全性を確保可能である。
【００２６】
本発明の請求項２、９に係る定着温度制御装置および定着温度制御方法では、上記第１および第２の加熱部が配光の異なる特性のヒータランプからなり、上記サーモカット部がその第２の加熱部において配光の高い部分近傍に配置されるから、基準温度を超えて上昇した検出温度や、サーモカット部の遮断動作が確実である。
【００２７】
本発明の請求項３、１０に係る定着温度制御装置および定着温度制御方法では、上記第１の加熱部が加熱ローラ本体の両端部に配置され、上記第２の加熱部がその加熱ローラ本体の中央部に配置されるから、基準温度を超えて上昇した検出温度や、サーモカット部の遮断動作がさらに一層、確実である。
【００２８】
本発明の請求項４、１１に係る定着温度制御装置および定着温度制御方法は、その温度検出部からの検出温度が基準温度を超えている状況下で第１の加熱部が加熱されていないとき、上記特定加熱処理がその第２の加熱部を加熱制御するから、第１の加熱部が加熱されていなくとも、その第２の加熱部を加熱制御してサーモカット部を遮断動作可能である。
【００２９】
本発明の請求項５、１２に係る定着温度制御装置および定着温度制御方法は、その検出温度が基準温度を超えている状況下で第１の加熱部が加熱されているとき、上記特定加熱処理が、それら第１および第２の加熱部への駆動電力の印加を遮断制御するとともに、当該遮断制御によっても検出温度が所定の基準温度を超え続けるとき、その第２の加熱部を加熱制御するから、一度、第１および第２の加熱部の加熱を遮断した後、サーモカット部を遮断動作させることにより、速く熱暴走を抑えることが可能である。
【００３０】
本発明の請求項６、１３に係る定着温度制御装置および定着温度制御方法は、検出温度が所定期間にわたって基準温度を継続して超えるとき、上記特定加熱処理がその第２の加熱部を加熱制御するから、誤動作を防止可能である。
【図面の簡単な説明】
【００３１】
【図１】本発明に係る定着温度制御装置を画像形成装置とともに実施の形態を示す概略ブロック図である。
【図２】本発明に係る画像形成装置の内部構成を示す要部構成図である。
【図３】本発明に係る定着温度制御装置の主要部を説明する図である。
【図４】本発明に係る定着温度制御装置の主要部を説明する図である。
【図５】本発明に係る定着温度制御装置の動作を説明するフローチャートである。
【発明を実施するための形態】
【００３２】
以下、本発明に係る定着温度制御装置、定着温度制御方法および画像形成装置の実施の形態を図面を参照して説明する。
【００３３】
なお、本発明に係る定着温度制御装置および定着温度制御方法は、本発明に係る画像形成装置を説明する過程で説明する。
【００３４】
図１は本発明に係る定着温度制御装置を含む画像形成装置の実施の形態を示す概略ブロック図であり、図２は図１の画像形成装置の内部構成を説明する要部構成図である。
【００３５】
図１において、画像形成装置Ａは、主制御部１を中心としてこれに接続された画像読取部３、記憶部５、操作パネル部７、印刷装置９、通信部１１を有して構成された例えば複合機である。画像形成装置Ａは、これら以外にも構成要素を有するが、本発明の要部ではないので説明および図示を省略する。なお、主制御部１の機能については後述する。
【００３６】
画像読取部３は、主制御部１の制御の下、図２に示すように、本体ケース１３の上部に配置され、原稿から画像を光学的に読み込み、フィルタ処理等した電子的な画像データを印刷ジョブとして生成する公知のスキャナであり、生成した画像データが原稿の頁毎に記憶部５に順次記憶されるようになっている。
【００３７】
図１の記憶部５は、主制御部１の制御の下、画像読取部３又は通信部１１からの画像データ等を記憶する読み書き可能な不揮発性メモリ、例えばハードディスク（ＨＤＤ）である。
【００３８】
操作パネル部７は、図２に示すように、本体ケース１３の上部に配置された公知の例えば液晶ディスプレイ表示部とタッチスイッチ式の入力部を兼ねたものであり、主制御部１の制御の下、画像形成装置Ａにおける動作状態、後述する熱暴走に係る警告情報等を表示する表示部であるとともに、当該機器Ａの操作指示入力を受け付ける操作部である。
【００３９】
図１の印刷装置９は、主制御部１の制御の下、図２に示すように、用紙のセットされる給紙段１５と、この給紙段１５から１次給紙されて搬送された用紙を所定の間隔をおいて２次給紙するレジストローラ１７と、記憶部５から読み出した画像データに基づきトナーカセット１９からのトナーによってトナー像が形成される回転感光体２１と、２次給紙された用紙にトナー像を転写するために回転感光体２１に圧接配置された加圧ローラ２３と、回転感光体２１および加圧ローラ２３の下流側に位置する加熱ローラ２５と加圧ローラ２７からなり転写トナー像を定着する定着部２９とを有する、例えばモノクロ又はカラーの画像形成部である。
【００４０】
印刷装置９には、図１に示すように、定着温度制御装置３１が含まれるが、詳細は後述する。
【００４１】
通信部１１は、主制御部１の制御の下で、外部の図示しない画像形成装置等との間で画像データ等を送受信する機能を有している。
【００４２】
主制御部１は、ＣＰＵ、このＣＰＵの起動プログラムを記憶したＲＯＭ、作業用のＲＡＭその他を有し、動作プログラムによって画像読取部３、記憶部５、操作パネル部７、入出力部１３、印刷装置９、通信部１１を制御し、画像読取部３から読み取られ記憶部５に格納された画像データを印刷装置９に渡して印刷制御（画像形成制御）する機能を有している。
【００４３】
次に、上述した本発明の定着温度制御装置３１を図３および図４を参照して説明する。
【００４４】
本発明の定着温度制御装置３１は、図３に示すように、加熱ローラ２５、温度検出部３３、サーモカット部３５、温度制御部３７およびスイッチ部ＳＷと、を有して形成されている。
【００４５】
なお、加熱ローラ２５には、これと軸方向寸法の同じ加圧ローラ２７が当接されるが、便宜上、図３および図４では図示を省略した。
【００４６】
加熱ローラ２５は、図３および図４に示すように、本体ケース１３（図３および図４では図示せず。）に直接又は間接的に回転自在に軸支された長尺状にして円筒形の加熱ローラ本体３９と、この加熱ローラ本体３９内部にあって軸方向の両端部に内蔵配置され、その当該加熱ローラ本体３９の両端部を中心に加熱する一対の第１の加熱部Ｈ１と、当該加熱ローラ本体３９内部にあって軸方向の中央部に内蔵配置され、当該加熱ローラ本体３９の第１の加熱部Ｈ１の間、すなわち軸方向中心部を加熱する第２の加熱部Ｈ２とを有している。
【００４７】
第１の加熱部Ｈ１および第２の加熱部Ｈ２は、各々配光の異なる特性を有する例えばハロゲンヒータ等のヒートランプであり、加熱ローラ本体３９の両端部および中央部において、各々配光の高い部分に配置されており、図示しない電源部からスイッチ部ＳＷを介して印加される駆動電力によって加熱（点灯）、加熱停止（消灯）される。なお、配光とは昇温率の高い部分と低い部分の分布である。
【００４８】
電源部は、第１の加熱部Ｈ１および第２の加熱部Ｈ２に直流駆動電源を印加して加熱させる公知のものである。
【００４９】
スイッチ部ＳＷは、温度制御部３７によってオンオフ制御されるスイッチＳＷ１、ＳＷ２であって、電源部から直流駆動電源を第１の加熱部Ｈ１に印加、遮断するスイッチＳＷ１と、電源部から直流駆動電源を第２の加熱部Ｈ２に印加、遮断するスイッチＳＷ２とを有している。
【００５０】
温度検出部３３は、加熱ローラ本体３９における片方の端部外周に接触するように配置され、加熱ローラ本体３９の端部温度を接触状態で検出するサーミスタ等からなる接触形温度センサであり、検出信号を温度制御部３７に出力するようになっている。
【００５１】
サーモカット部３５は、加熱ローラ本体３９における中央部、例えば第２の加熱部Ｈ２の近傍外周に僅かの間隔を置いて非接触状態で配置された温度ヒューズやサーモスタットであり、加熱ローラ本体３９の中央部温度に基づき、それら第１および第２の加熱部への駆動電力の印加を遮断する機能を有する。
【００５２】
すなわち、サーモカット部３５は、スイッチ部ＳＷに接続されており、遮断動作（サーモカット動作）を引き起こすに必要な期間（遮断確保期間）にわたって主に第２の加熱部Ｈ２から熱量を受けて加熱動作されたとき、それら第１および第２の加熱部Ｈ１、Ｈ２への駆動電力の印加を遮断する機能を有している。
【００５３】
温度制御部３７は、図示しない主電源のオン動作に連動してスイッチＳＷ１、ＳＷ２をオン制御し、第１および第２の加熱部Ｈ１、Ｈ２を定着可能上限温度まで昇温制御するとともに、温度検出部３３からの検出信号に基づき、定着可能上限温度を超えて昇温されたときスイッチＳＷ１、ＳＷ２をオフ制御するとともに定着可能上限温度を超えて低下したときスイッチＳＷ１、ＳＷ２をオン制御し、加熱ローラ２５の端部および中央部の温度を定着可能上限温度に安定制御するシーケンスコントローラである。
【００５４】
温度制御部３７は、サーモカット部３５がこの遮断動作を引き起こすに十分な遮断確保期間にわたって第２の加熱部Ｈ２を加熱動作させる機能を有しており、サーモカット部３５が遮断動作すると、第１および第２の加熱部Ｈ１、Ｈ２への駆動電力の印加が遮断される。
【００５５】
すなわち、温度制御部３７は、温度検出部３３からの検出温度が異常高温に係る基準温度を超えたとき、熱暴走に係る警告情報を例えば主制御部１から操作パネル部７に表示制御するとともに、その状況下で第１の加熱部Ｈ１が加熱されていないとき、サーモカット部３５の遮断確保期間にわたって第２の加熱部Ｈ２を加熱制御する機能を有している。
【００５６】
さらに、温度制御部３７は、温度検出部３３からの検出温度が異常高温に係る基準温度を超えている状況下で第１の加熱部Ｈ１が加熱されているとき、スイッチ部ＳＷを制御して第１および第２の加熱部Ｈ１、Ｈ２への駆動電力の印加を所定期間（例えば２０秒）だけ遮断制御するとともに、当該遮断制御によっても温度検出部３３からの検出温度が異常高温に係る基準温度を超え続けるとき、第２の加熱部Ｈ２を遮断確保期間にわたって加熱制御する機能を有している。
【００５７】
なお、温度制御部３７は、図示はしないが、ＣＰＵ、このＣＰＵの起動プログラムを記憶したＲＯＭ、作業用のＲＡＭその他を有して形成されている。
【００５８】
次に、上述した本発明に係る定着温度制御装置の動作を、図５のフローチャートを参照して説明する。
【００５９】
動作プログラムが開始されると、ステップＳ１にて温度制御部３７が温度検出部３３からの検出温度を取得（温度検出処理）するとともに基準温度とを比較し、検出温度が基準温度を超えると、加熱ローラ２５（加熱ローラ本体３９）が異常高温状態であると検出する。
【００６０】
続く、ステップＳ２にて温度制御部３７が警告情報を上位部である主制御部１を介して操作パネル部７に出力して表示制御し、ステップＳ３へ移る。
【００６１】
ステップＳ３では、温度制御部３７が第１の加熱部Ｈ１の加熱中の有無を判別し、第１の加熱部Ｈ１が加熱停止中であってステップＳ３がＮＯであれば、ステップ４にて第２の加熱部Ｈ２を加熱制御するとともに加熱期間カウントを開始し、ステップＳ５にて加熱期間カウントが遮断確保動作期間に達するまでカウントを継続するとともに第２の加熱部Ｈ２の加熱も継続する（特定加熱処理）。
【００６２】
加熱期間カウントが遮断確保動作期間に達してステップＳ５がＹＥＳになると、ステップＳ６にてサーモカット部３５が遮断動作し、第１および第２の加熱部Ｈ１、Ｈ２への駆動電力の印加を遮断し、第１および第２の加熱部Ｈ１、Ｈ２が加熱停止制御される（遮断処理）。
【００６３】
第１の加熱部Ｈ１が加熱中であってステップＳ３がＹＥＳであれば、ステップ７にて温度制御部３７が第１および第２の加熱部Ｈ１、Ｈ２を加熱停止制御するとともに、加熱停止期間カウント開始し、ステップＳ８にて検出温度が基準温度を超えて低下するか否か判別し、検出温度が低下して異常高温が検出されなければ終了する（特定加熱処理）。
【００６４】
検出温度が基準温度を超えて低下せずに異常高温が検出され続けてステップＳ８がＮＯであれば、ステップＳ９にて停止期間カウントが所定期間に達するまで温度制御部３７がステップＳ８、Ｓ９を繰り返し、加熱停止期間カウントが所定期間に達すると、ステップＳ４に移ってステップＳ４以降を処理する（特定加熱処理）。
【００６５】
なお、これらの主要処理が本発明に係る定着温度制御方法を構成する。
【００６６】
このように本発明の定着温度制御装置３１は、画像形成装置Ａに配置された加熱ローラ本体３９（加熱ローラ２５）と、この加熱ローラ本体３９に分散して内蔵され駆動電力の印加によって加熱ローラ本体３９を加熱する第１、第２の加熱部Ｈ１、Ｈ２と、その加熱ローラ本体３９の温度を検出する温度検出部３３と、その第２の加熱部Ｈ２近傍に配置され、遮断確保期間にわたって加熱されたとき第１、第２の加熱部Ｈ１、Ｈ２への駆動電力印加を遮断するサーモカット部３５と、その温度検出部３３の検出温度に基づき駆動電力を印加制御して第１、第２の加熱部Ｈ１、Ｈ２を温度制御する温度制御部３７を具備している。
【００６７】
しかも、温度制御部３７は、温度検出部３３からの検出温度が所定の異常高温に係る基準温度を超えて上昇すれば、第２の加熱部Ｈ２をこの加熱の有無に拘わらず加熱制御する機能を有している。
【００６８】
そのため、例えば、第１の加熱部Ｈ２が加熱され続け、サーモカット部３５から離れた箇所で加熱熱暴走等の異常高温状態が発生しても、１個のサーモカット部３５によって早期に熱暴走を抑え、安全性を確保可能であるし、構成部品が減少して構成も簡単、小形になる。
【００６９】
そして、それら第１、第２の加熱部Ｈ１、Ｈ２が配光の異なる特性を有するヒートランプからなり、サーモカット部３５が加熱ローラ本体３９中央部の第２の加熱部Ｈ２において配光の高い部分近傍に配置されてなるから、基準温度を超えて上昇した検出温度やサーモカット部３５の遮断動作が確実である。
【００７０】
また、上述した定着温度制御装置３１において、温度検出部３３からの検出温度が基準温度を超えている状況下で第１の加熱部Ｈ１が加熱されていないとき、第２の加熱部Ｈ２を加熱制御するから、第１の加熱部Ｈ１が加熱されていなくとも第２の加熱部Ｈ２を加熱制御し、サーモカット部３５の遮断動作を確保可能である。
【００７１】
さらに、同じ状況下で第１の加熱部Ｈ１が加熱されているときは、それら第１および第２の加熱部Ｈ１、Ｈ２への駆動電力印加を遮断制御して検出温度の状態を監視するから、速く熱暴走を抑えることが可能である。
【００７２】
もし、検出温度が基準温度を超え続けて異常高温であれば、第２の加熱部Ｈ２を加熱制御するから、一度、第１および第２の加熱部Ｈ１、Ｈ２の加熱を遮断してから第２の加熱部Ｈ２を再度加熱制御してサーモカット部３５を遮断動作させることにより、確実に熱暴走を抑えることが可能である。
【００７３】
なお、本発明の定着温度制御装置３１において、検出温度が所定期間にわたって基準温度を継続して超えるとき、第２の加熱部Ｈ２を加熱制御する構成にすれば、誤動作を防止可能であり、これに対応させて温度制御部３７を形成すれば良い。
【００７４】
なお、上述した構成の定着温度制御装置３１において、第１の加熱部Ｈ１を一対で形成したが、本発明では複数の加熱部で第１の加熱部Ｈ１を形成する構成も可能である。
【００７５】
上述した本発明に係る定着温度制御装置３１を搭載した本発明の画像形成装置Ａにおいても、定着温度制御装置と同様の効果を得ることが可能である。
【符号の説明】
【００７６】
１  主制御部
３  画像読取部
５  記憶部
７  操作パネル部（表示部、入力部）
９  印刷装置
１１  通信部
１３  本体ケース
１５  給紙段
１７  レジストローラ
２１  回転感光体
２３、２７  加圧ローラ
２５  加熱ローラ
２９  定着部
３１  定着温度制御装置
３３  温度検出部
３５  サーモカット部
３７  温度制御部
３９  加熱ローラ本体
Ａ  画像形成装置（複合機）
Ｈ１  第１の加熱部（ヒータランプ）
Ｈ２  第２の加熱部（ヒータランプ）
ＳＷ  スイッチ部
ＳＷ１、ＳＷ２  スイッチ
【図１】
2011095289.tif 000003
【図２】
2011095289.tif 000004
【図３】
2011095289.tif 000005
【図４】
2011095289.tif 000006
【図５】
2011095289.tif 000007